(57)【要約】【課題】迅速に組み立てられ、且つコストを抑える。【解決手段】上面に２つの検測口及び１つの透光部が設けられ、底面に開口部が設けられた外殼体と、前記開口部から前記外殼体内にそれぞれ設置され、平行に配列された２つの金属導片から構成される端子刃部と、前記透光部内に設置された発光器を含み、そのうち、前記２つの金属導片間にヒューズが接続され、前記２つの金属導片上端部に前記２つの検測口に進入される端部が設けられ、且つ、前記２つの金属導片上端部近くの内側辺部が外側に向かって延伸されて自由端が上を向いたＬ字枠が形成され、前記発光器の２つの電極が前記２つのＬ字枠とそれぞれ接触を形成し、これにより、迅速に組み立てられ、且つコストを抑えることができる。【選択図】図４
0003129165.tif 000002
【実用新案登録請求の範囲】
【請求項１】
上面に２つの検測口及び１つの透光部が設けられ、底面に開口部が設けられた外殼体と、前記開口部から前記外殼体内にそれぞれ設置され、平行に配列された２つの金属導片から構成される端子刃部と、前記透光部内に設置された発光器を含み、そのうち、前記２つの金属導片間にヒューズが接続され、前記２つの金属導片上端部に前記２つの検測口に進入される端部が設けられ、且つ、前記２つの金属導片上端部近くの内側辺部が外側に向かって延伸されて自由端が上を向いたＬ字枠が形成され、前記発光器の２つの電極が前記２つのＬ字枠とそれぞれ接触を形成し、且つ、前記発光器はバイポーラ発光ダイオード及び前記バイポーラ発光ダイオードに接続された少なくとも１つの分圧抵抗器から構成され、前記発光器の２つの分圧抵抗器の一端が前記２つの金属導片とそれぞれ接続され、前記端子刃部が負荷装置或いは電源に設置され、電流が定格値を超過すると、前記ヒューズが焼き切れ開路を形成し、電流を前記発光器に通過させ、前記発光器を発光させることを特徴とする、発光表示付安全遮断式端子装置。
【請求項２】
前記発光器が、ウエハ上に極性が相異する２つの導電層を生成したものであり、前記発光器が正負極を区分する必要なくその他負荷装置と相互に接続することができ、且つ、隨時１つの導電層が導通された状態を保つ、請求項１に記載の発光表示付安全遮断式端子装置。
【請求項３】
前記発光器がＳＭＤ（Ｓｕｒｆａｃｅ  Ｍｏｕｎｔ  Ｄｅｖｉｃｅ）バイポーラ発光ダイオード（ＢＩＰＯＬＡＲ  ＬＥＤ）である、請求項１または２に記載の発光表示付安全遮断式端子装置。
【請求項４】
前記透光部の外型が前記外殼体上面から外側へ突出した弧面を成す、請求項１に記載の発光表示付安全遮断式端子装置。
【考案の詳細な説明】
【技術分野】
【０００１】
本考案は発光表示付安全遮断式端子装置に関し、詳細には、迅速に組み立てることができ、且つ、製造コストを抑えることができる、安全遮断式端子装置に関する。
【背景技術】
【０００２】
図１に従来の発光表示付ヒューズ端子の立体分解図を示す。この図に示すように、このヒューズ端子は次の部材を含む。
【０００３】
外殼体１は上部及び底部に相通する開口部１１を備えている。
【０００４】
端子刃部２は平行な２つの金属導片２１から構成され、これら２つの金属導片２１間にヒューズ２２が接続され、これら金属導片２１上端２３に端部２４が設けられ、且つ、前記金属導片２１上端２３の内側辺部が外側に向かって延伸され、自由端が上を向いたＬ字枠２５が設けられる。
【０００５】
上蓋３は透明体であり、前記外殼体１上面の開口部１１に被せられ、２つの検測口３１を備えている。
【０００６】
発光器４は前記端子刃部２の２つのＬ字枠２５上に架設され、この発光器４は２つの発光ダイオードを並列接続後さらにパッケージしたものであり、その表面に２つの対外接点が設けられる。
【０００７】
図２に従来の発光表示付ヒューズ端子の立体組立図を示す。この図に示すように、端子刃部２は外殼体１の上面開口部１１から対応して挿入され、且つ、外殼体１内に固定されて、端子刃部２の上下端が外殼体１から露出される。端子刃部２の２つのＬ字枠２５上に発光器４を架設後、上蓋３を外殼体１上面の開口部１１に閉じ合わせ、端子刃部２の２つの端部２４を上蓋３の検測口３１内に対応して進入させる。上述の従来の組立構造から分かるように、この従来の発光表示付ヒューズ端子は２つの複雑なモールドを開設し上蓋３と外殼体１をそれぞれ製造する必要があり、これは製造コストの増加を意味しており、且つ、組立て時に発光器４を予め端子刃部２上に半田付けし、発光器４を固定しておく必要がある。
【０００８】
図３に従来の発光表示付ヒューズ端子の回路図を示す。この図に示すように、発光器７は２つの発光ダイオード７３を相反方向に並列接続後、抵抗器７４を直列接続して構成され、ヒューズが破損すると、電流が電流の流動と同じ方向の発光ダイオードを選択して通過し、これを発光させるものであるが、発光ダイオード７３が２つの相反方向に接続されたものであるため、発光器７の全体の体積を縮小しにくい。
【０００９】
このため、迅速に組み立てることができ、且つ給電切断時故障ヒューズの判別率を増加すると共に、製造コストを抑えることができる発光表示付安全遮断式端子装置をいかに提供するかが本考案の積極的に探究する点である。
【考案の開示】
【考案が解決しようとする課題】
【００１０】
上述の従来のヒューズ端子の各欠点に鑑みて、本考案はその不完全な点を克服すべく、考案者の関連産業における長年の経験に基づき研究を重ね、迅速に組み立てられ、且つコストを抑えることができる発光表示付安全遮断式端子装置を開発した。
【００１１】
本考案の主な目的は、迅速に組み立てられ、且つコストを抑えることができる発光表示付安全遮断式端子装置を提供することにある。
【課題を解決するための手段】
【００１２】
本考案は、上面に２つの検測口及び１つの透光部が設けられ、底面に開口部が設けられた外殼体と、前記開口部から前記外殼体内にそれぞれ設置され、平行に配列された２つの金属導片から構成される端子刃部と、前記透光部内に設置された発光器を含み、そのうち、前記２つの金属導片間にヒューズが接続され、前記２つの金属導片上端部に前記２つの検測口に進入される端部が設けられ、且つ、前記２つの金属導片上端部近くの内側辺部が外側に向かって延伸されて自由端が上を向いたＬ字枠が形成され、前記発光器の２つの電極が前記２つのＬ字枠とそれぞれ接触を形成し、且つ、前記発光器はバイポーラ発光ダイオード及び前記バイポーラ発光ダイオードに接続された少なくとも１つの分圧抵抗器から構成され、前記発光器の２つの分圧抵抗器の一端が前記２つの金属導片とそれぞれ接続され、前記端子刃部が負荷装置或いは電源に設置され、電流が定格値を超過すると、前記ヒューズが焼き切れ開路を形成し、電流を前記発光器に通過させ、前記発光器を発光させることを特徴とする。これにより、迅速に組み立てられ、且つコストを抑える効果が得られる。
【００１３】
また、前記発光器がウエハ上に極性が相異する２つの導電層を生成したものであり前記発光器が正負極を区分する必要なくその他負荷装置と相互に接続することができ、且つ、隨時１つの導電層が導通された状態を保つことが好適である。
【００１４】
また、前記発光器がＳＭＤ（Ｓｕｒｆａｃｅ  Ｍｏｕｎｔ  Ｄｅｖｉｃｅ）バイポーラ発光ダイオード（ＢＩＰＯＬＡＲ  ＬＥＤ）であることが好適である。
【００１５】
また、前記透光部の外型が前記外殼体上面から外側へ突出した弧面を成すことが好適である。
【考案を実施するための最良の形態】
【００１６】
本考案の目的、特徴及び効果について審査委員各位に十分な理解を促すため、以下具体的な実施例と図面に基づき、本考案について詳細に説明する。
【００１７】
図４に本考案の立体分解図を示す。この図に示すように、本考案は次の部材を含む。
【００１８】
外殼体５は一体成型で形成され、且つその上面に２つの検測口５１及び１つの透光部５３が設けられ、底面に開口部が開設される。
【００１９】
端子刃部６はこの開口部より外殼体５内に設置され、平行に配列された２つの金属導片６１から構成され、これら２つの金属導片６１間にヒューズ６２が接続され、これら２つの金属導片６１上端部に２つの検測口５１に進入される端部６３がそれぞれ設けられ、且つ、これら２つの金属導片６１上端部近くの内側辺部が外側へ向かって延伸されて自由端が上を向いたＬ字枠６４が形成される。
【００２０】
発光器７は外殻体５の透光部５３内に設置され、この透光部５３の外型が外殼体５上面から外側へ突出した弧面を呈するために集光効果が得られる設計であり、この弧面に発光器７が発する光を通過させてよりはっきりさせることができ、且つ、発光器７の２つの電極が前述の２つのＬ字枠にそれぞれ接触される。
【００２１】
図５に本考案の立体組立図を示す。この図に示すように、発光器７は外殼体５の透光部５３内に対応して設置され、端子刃部６の上端部が外殼体５底面の開口部から進入されて固定され、２つの金属導片６１上端部の端部６３が外殼体５の２つの検測口５１にそれぞれ対応して進入され、透光部５３が同時に発光器７とＬ字枠６４を押さえて接合させる。
【００２２】
図６に本考案の回路図を示す。この図に示すように、発光器７（例えばＳＭＤ（表面実装部品）バイポーラ発光ダイオード７１（ＢＩＰＯＬＡＲ  ＬＥＤ）とすることができるが、これに限らない）は、バイポーラ発光ダイオード７１及びこのバイポーラ発光ダイオード７１前端、後端に直列接続された分圧抵抗器７２から構成される。そのうち、発光器７（例えばＳＭＤバイポーラ発光ダイオード７１（ＢＩＰＯＬＡＲ  ＬＥＤ）とすることができるが、これに限らない）は、ウエハ上に極性が相異する２つの導電層を生成したものであることが好ましい。すなわち、両方向に対しダイオードとして機能するバイポーラ発光ダイオードを採用することが好ましい。これによって、発光器７は正負接点を区分する必要なくその他負荷装置と接続できる。隨時１つの導電層が導通した状態を保ち、２つの分圧抵抗器７２の一端（ダイオードと反対側）が２つの金属導片６１とそれぞれ接続され、端子刃部６は負荷装置８或いは電源９の間に設置することができる。そして、電流が定格値を超過すると、ヒューズ６２が焼き切れ開路を形成し、電流を発光器７に通過させ、電流が通過するとき発光器７が発光し、修理人員にこの部分の回路構造に異常があることを知らせる。
【００２３】
本考案の構造設計により、モールドのコストを大幅に減少でき、且つ、組立て時に発光器７と端子刃部６の半田付け過程を省くことができるため、確実に迅速に組み立てられ、且つコストを抑えることができる。
【００２４】
上述のように、本考案の発光表示付安全遮断式端子装置の設計は、これまでにない初めての応用であり、その構成は実に簡便で実用的であると共に、実用性及び進歩性を備え、合理的な考案に属するものである。このため、法に基づきここに実用新案登録出願し、当局の審査の上、実用新案登録がなされるよう願うものである。
【図面の簡単な説明】
【００２５】
【図１】従来の発光表示付ヒューズ端子の立体分解図である。
【図２】従来の発光表示付ヒューズ端子の立体組立図である。
【図３】従来の発光表示付ヒューズ端子の回路図である。
【図４】本考案の立体分解図である。
【図５】本考案の立体組立図である。
【図６】本考案の回路図である。
【符号の説明】
【００２６】
１外殼体、１１  開口、２  端子刃部、２１  金属導片、２２  ヒューズ、２３  上端、２４  端部、２５  Ｌ字枠、３  上蓋、３１  検測口、４  発光器、５  外殼体、５１  検測口、５３  透光部、６  端子刃部、６１  金属導片、６２  ヒューズ、６３  端部、６４  Ｌ字枠、７  発光器、７１  バイポーラ発光ダイオード、７２  分圧抵抗器、７３  発光ダイオード、７４  抵抗器、８  負荷装置、９  電源。
【図１】
0003129165.tif 000003
【図２】
0003129165.tif 000004
【図３】
0003129165.tif 000005
【図４】
0003129165.tif 000006
【図５】
0003129165.tif 000007
【図６】
0003129165.tif 000008